(57)【要約】【課題】  意図した高級感あふれる縫製ラインを形成すると共に製造原価の安価な自動車用内装部品と、その製造方法を提供する。【解決手段】  芯材７と、該芯材７を覆う柔軟性を有するパッド６と、該パッド６を覆う合成樹脂製の表皮材５とにより層状に形成してなる内装部品１であって、前記表皮材５の表面５ａ側に配してなる糸条体４と、該糸条体４の一部４ａを前記表皮材５に連続的に形成した複数の貫通孔１４を介して前記パッド６に形成した溝８に挿入すると共に前記表皮材５の裏面５ｂに係合して糸条体４の一部４ａが抜けるのを防止した抜け止め手段１０とより構成され、貫通孔１４に沿って縫製ラインが形成されてなる。【選択図】      図３
2006273312.tif 000002
【特許請求の範囲】
【請求項１】
芯材（７）と、該芯材（７）を覆う柔軟性を有するパッド（６）と、該パッド（６）を覆う合成樹脂製の表皮材（５）とにより順次層状に形成してなる内装部品（１）であって、
前記表皮材（５）の表面（５ａ）側に配してなる糸条体（４）と、該糸条体（４）の一部（４ａ）を前記表皮材（５）に連続的に形成した複数の貫通孔（１４）を介して前記パッド（６）に形成した溝（８）に挿入すると共に前記表皮材（５）の裏面（５ｂ）に係合して糸条体（４）の一部（４ａ）が表皮材（５）から抜けるのを防止した抜け止め手段（１０，２０，２５，３０，４ｃ，４ｃ’）とより構成されてなることで、貫通孔（１４）に沿って縫製ラインが形成されてなることを特徴とする自動車用内装部品。
【請求項２】
請求項１に記載の自動車用内装部品であって、
前記抜け止め手段は、糸条体（４）の一部（４ａ）に貫通孔（１４）のピッチに合致させて複数固持されてなると共に貫通孔（１４）に挿入し易く且つ溝（８）内にあって表皮材（５）の裏面（５ｂ）に係合し易い断面略鏃状に形成されたアンカー部材（１０，２０）よりなることを特徴とする自動車用内装部品。
【請求項３】
請求項１に記載の自動車用内装部品であって、
前記抜け止め手段は、溝（８）内にあって糸条体（４）の一部（４ａ）に固着され且つ貫通孔（１４）より大きな直径よりなる接着剤（２５）よりなることを特徴とする自動車用内装部品。
【請求項４】
請求項１に記載の自動車用内装部品であって、
前記抜け止め手段は、糸条体（４）の一部（４ａ）に通過させてなると共に溝（８）内にあって表皮材（５）の裏面（５ｂ）に係合し易い所定の幅を有するリング（３０）よりなることを特徴とする自動車用内装部品。
【請求項５】
請求項１に記載の自動車用内装部品であって、
前記抜け止め手段は、前記貫通孔（１４）のピッチに合致させて糸条体（４）の一部（４ａ）を複数折り曲げると共に溝（８）内にあって表皮材（５）の裏面（５ｂ）に係合し易い所定の幅を有するタグ（４ｃ，４ｃ’）よりなることを特徴とする自動車用内装部品。
【請求項６】
芯材（７）と、該芯材（７）を覆う柔軟性を有するパッド（６）と、該パッド（６）を覆う合成樹脂製の表皮材（５）とにより順次層状に形成してなる内装部品（１）の表皮材（５）に、複数の貫通孔（１４）を形成すると共に該貫通孔（１４）と同じ位置のパッド（６）に、複数の溝（８）を形成し、糸条体（４）の一部（４ａ）の抜け止め手段（１０，２０，２５，３０，４ｃ，４ｃ’）を貫通孔（１４）を介して溝（８）内に挿入し、抜け止め手段（１０，２０，２５，３０，４ｃ，４ｃ’）より該溝（８）内に糸条体（４）の一部（４ａ）を保持することにより、貫通孔（１４）に沿って縫製ラインを形成してなることを特徴とする自動車用内装部品の製造方法。
【請求項７】
請求項６に記載の自動車用内装部品の製造方法であって、
前記抜け止め手段であるアンカー部材（１０，２０）を、押し部材（１１，２１）により真空吸着したまま貫通孔（１４）を介して溝（８）内に挿入し、押し部材（１１，２１）に加えた真空吸着力を除去することで、前記アンカー部材（１０，２０）から押し部材（１１，２１）を外し、前記アンカー部材（１０，２０）のみを溝（８）内に残存可能なるようにしたことを特徴とする自動車用内装部品の製造方法。
【請求項８】
請求項６に記載の自動車用内装部品の製造方法であって、
前記内装部品（１）の成形後に、孔開けレーザ光照射手段（４０）により複数の貫通孔（１４）及び複数の溝（８）を形成し、前記表皮材（５）の表面（５ａ）側に糸条体（４）を配してなると共に該糸条体（４）の一部（４ａ）の抜け止め手段（１０，２０，２５，３０，４ｃ，４ｃ’）を押込み手段（４１）により該溝（８）内に糸条体（４）の一部（４ａ）を保持することにより、貫通孔（１４）に沿って縫製ラインを形成してなることを特徴とする自動車用内装部品の製造方法。
【請求項９】
請求項８に記載の自動車用内装部品の製造方法であって、
前記孔開けレーザ光照射手段（４０）及び前記押込み手段（４１）は、座標管理制御手段（４２）により、予め定めた所望の座標上の加工位置に、次々に前記内装部品（１）に複数の貫通孔（１４）及び複数の溝（８）を形成してなると共にエンコーダー保管管理制御手段（４２）により、前記溝（８）内に糸条体（４）の一部（４ａ）を押し込むように、制御してなることを特徴とする自動車用内装部品の製造方法。
【発明の詳細な説明】
【技術分野】
【０００１】
本発明は、インストルメントパネル、ドアトリムなどの自動車用内装部品と、その製造方法に係り、特に合成樹脂材の表皮材の表面にリアルな縫製ラインを形成して、高級感のあふれた自動車用内装部品と、その製造方法に関するものである。
【背景技術】
【０００２】
自動車の車室内に搭載されるインストルメントパネル、ドアトリムなどの自動車用内装部品は、柔らかな材料を用いることで乗員の保護を図ると共に室内美感の向上に貢献している。特に、製品の高級感あふれるものは、手作り感を醸し出すために、表皮材単品の段階で表皮材に実際の糸条体を縫うことにより、表皮材の表面側に縫製ラインを形成し、該表皮材の裏面側にパッドを充填して芯材と共に一体化させてなる自動車用内装材が提案されている（例えば、特許文献１参照）。
【特許文献１】特公平７−００４８１９号公報
【発明の開示】
【発明が解決しようとする課題】
【０００３】
しかしながら、このような従来の技術にあっては、かかる表皮を三次元形状に賦形することで折れ皺が発生するおそれがある。一旦折れ皺が発生すると、加熱処理しても皺が取れにくいことになる。また、後工程での発泡成形時に縫い目からパッドの原料が漏れるおそれがある。何れにしても、製品の不良率が高まり、生産効率の劣化を招くおそれがあり、製造原価高騰の一原因になるおそれがある。また、通常糸条体のしまりによって、パッドが撓むことにより表皮材の糸条体の通る位置にうっすらと凹みの通り部が形成されることで高級感が生じるが、縫製ラインを形成するのは、表皮材のみの段階であるので、表皮材の表面のみに糸条体が貼り付いているだけという商品の低級感を生じさせるおそれもある。
【０００４】
本発明は、このような従来の技術に着目してなされたものであり、意図した高級感あふれる縫製ラインを形成すると共に製造原価の安価な自動車用内装部品と、その製造方法を提供するものである。
【課題を解決するための手段】
【０００５】
請求項１に記載の発明は、芯材と、該芯材を覆う柔軟性を有するパッドと、該パッドを覆う合成樹脂製の表皮材とにより順次層状に形成してなる内装部品であって、前記表皮材の表面側に配してなる糸条体と、該糸条体の一部を前記表皮材に連続的に形成した複数の貫通孔を介して前記パッドに形成した溝に挿入すると共に前記表皮材の裏面に係合して糸条体の一部が表皮材から抜けるのを防止した抜け止め手段とより構成されてなることで、貫通孔に沿って縫製ラインが形成されてなることを特徴とする。
【０００６】
請求項２に記載の発明は、請求項１に記載の自動車用内装部品であって、前記抜け止め手段は、糸条体の一部に貫通孔のピッチに合致させて複数固持されてなると共に貫通孔に挿入し易く且つ溝内にあって表皮材の裏面に係合し易い断面略鏃状に形成されたアンカー部材よりなることを特徴とする。
【０００７】
請求項３に記載の発明は、請求項１に記載の自動車用内装部品であって、前記抜け止め手段は、溝内にあって糸条体の一部に固着され且つ貫通孔より大きな直径よりなる接着剤よりなることを特徴とする。
【０００８】
請求項４に記載の発明は、請求項１に記載の自動車用内装部品であって、前記抜け止め手段は、糸条体の一部に通過させてなると共に溝内にあって表皮材の裏面に係合し易い所定の幅を有するリングよりなることを特徴とする。
【０００９】
請求項５に記載の発明は、請求項１に記載の自動車用内装部品であって、前記抜け止め手段は、前記貫通孔のピッチに合致させて糸条体の一部を複数折り曲げると共に溝内にあって表皮材の裏面に係合し易い所定の幅を有するタグよりなることを特徴とする。
【００１０】
請求項６に記載の発明は、芯材）と、該芯材を覆う柔軟性を有するパッドと、該パッドを覆う合成樹脂製の表皮材とにより順次層状に形成してなる内装部品）の表皮材に、複数の貫通孔を形成すると共に該貫通孔と同じ位置のパッドに、複数の溝を形成し、糸条体の一部の抜け止め手段を貫通孔を介して溝内に挿入し、抜け止め手段より該溝内に糸条体の一部を保持することにより、貫通孔に沿って縫製ラインを形成してなることを特徴とする。
【００１１】
請求項７に記載の発明は、請求項６に記載の自動車用内装部品の製造方法であって、前記抜け止め手段であるアンカー部材を、押し部材により真空吸着したまま貫通孔を介して溝内に挿入し、押し部材に加えた真空吸着力を除去することで、前記アンカー部材から押し部材を外し、前記アンカー部材のみを溝内に残存可能なるようにしたことを特徴とする。
【００１２】
請求項８に記載の発明は、請求項６に記載の自動車用内装部品の製造方法であって、前記内装部品の成形後に、孔開けレーザ光照射手段により複数の貫通孔及び複数の溝を形成し、前記表皮材の表面側に糸条体を配してなると共に該糸条体の一部の抜け止め手段を押込み手段により該溝内に糸条体の一部を保持することにより、貫通孔に沿って縫製ラインを形成してなることを特徴とする。
【００１３】
請求項９に記載の発明は、請求項８に記載の自動車用内装部品の製造方法であって、前記孔開けレーザ光照射手段及び前記押込み手段は、座標管理制御手段により、予め定めた所望の座標上の加工位置に、次々に前記内装部品に複数の貫通孔及び複数の溝を形成してなると共にエンコーダー保管管理制御手段により、前記溝内に糸条体の一部を押し込むように、制御してなることを特徴とする。
【発明の効果】
【００１４】
請求項１に記載の発明によれば、表皮材の表面側に配してなる糸条体と、該糸条体の一部を前記表皮材に連続的に形成した複数の貫通孔を介して前記パッドに形成した溝に挿入すると共に前記表皮材の裏面に係合して糸条体の一部が抜けるのを防止した抜け止め手段とより構成されてなることで、貫通孔に沿って縫製ラインが形成されてなるため、表面側の糸条体を裏面側の抜け止め手段を用いて引っ張ることで、糸条体の通る部分の表皮材とパッドとが撓み、恰も職人による縫製であるような高級感あふれる縫製ラインを表皮材に形成することができる。また、三次元形状に賦形した後に貫通孔、溝を形成し、かかる糸条体を加えるので、貫通孔からのパッドの液漏れや皺の発生が生じないことになり、製品の不良率が下がり、生産の効率が高まる。従って、製造原価が安価となる。
【００１５】
請求項２に記載の発明によれば、抜け止め手段のアンカー部材は、糸条体の一部に貫通孔のピッチに合致させて複数固持されてなると共に貫通孔に挿入し易く且つ溝内にあって表皮材の裏面に係合し易い断面略鏃状に形成されてなるため、貫通孔に合致させてアンカー部材を挿入させるだけで、糸条体がアンカー部材と共に溝内に入り込むので、かかる作業が簡易であり且つ確実にその位置に保持される。該保持状態は、恰も裏糸と表糸とにより縫製されたような高級感を見た人に与えることができる。
【００１６】
請求項３に記載の発明によれば、抜け止め手段は、溝内にあって糸条体の一部に固着され且つ貫通孔より大きな直径よりなる接着剤よりなるため、貫通孔に合致させて糸条体の一部を溝内に入れると、予め溝内に入れてあった接着剤が糸条体に絡み、該接着剤が固化することでその位置に保持される。該糸条体の保持状態は、恰も裏糸と表糸とにより縫製されたような高級感を見た人に与えることができる。
【００１７】
請求項４に記載の発明によれば、抜け止め手段は、糸条体の一部に通過させてなると共に溝内にあって表皮材の裏面に係合し易い所定の幅を有するリングよりなるため、貫通孔に合致させて糸条体を通してあるリングを挿入させるだけで、糸条体がリングと共に溝内に入り込むので、かかる作業が簡易であり且つ確実にその位置に保持される。該保持状態は、恰も裏糸と表糸とにより縫製されたような高級感を見た人に与えることができる。
【００１８】
請求項５に記載の発明によれば、抜け止め手段は、前記貫通孔のピッチに合致させて糸条体の一部を複数折り曲げると共に溝内にあって表皮材の裏面に係合し易い所定の幅を有するタグよりなるため、貫通孔に合致させて糸条体のタグの部分を溝内に入れると、貫通孔で一旦縮んだタグが溝内で広がり、貫通孔より大きくなることで抜け止め保持される。該保持状態は、恰も裏糸と表糸とにより縫製されたような高級感を見た人に与えることができる。
【００１９】
請求項６に記載の発明によれば、内装部品の表皮材に、複数の貫通孔を形成すると共に該貫通孔と同じ位置のパッドに、複数の溝を形成し、糸条体の一部を貫通孔を介して溝内に挿入し、抜け止め手段より該溝内に糸条体の一部を保持することにより、貫通孔に沿って縫製ラインを形成してなるため、表面側の糸条体を抜け止め手段を用いて引っ張ることになり、糸条体の通る部分の表皮材とパッドとが撓み、恰も職人による縫製であるような高級感あふれる縫製ラインを表皮材に形成することができる。また、三次元形状に賦形した後に貫通孔、溝を形成し、かかる糸条体を加えるので、貫通孔からのパッドの液漏れや皺の発生が生じないことになり、製品の不良率が下がり、生産の効率が高まる。従って、製造原価が安価となる。
【００２０】
請求項７に記載の発明によれば、前記抜け止め手段であるアンカー部材を、押し部材により真空吸着したまま貫通孔を介して溝内に挿入し、押し部材）に加えた真空吸着力を除去することで、前記アンカー部材から押し部材を外し、前記アンカー部材のみを溝内に残存可能なるようにしたため、アンカー部材を保持する手段が簡易となる。
【００２１】
請求項８に記載の発明によれば、前記内装部品の成形後に、孔開けレーザ光照射手段により複数の貫通孔及び複数の溝を形成し、前記表皮材の表面側に糸条体を配してなると共に該糸条体の一部の抜け止め手段を押込み手段により該溝内に糸条体の一部を保持することにより、貫通孔に沿って縫製ラインを形成してなるため、貫通孔の縁がレーザ光による溶断によるため、亀裂の進展が生じにくくなり、亀裂進展による破損が生じにくいことになる。
【００２２】
請求項９に記載の発明によれば、前記孔開けレーザ光照射手段及び前記押込み手段は、座標管理制御手段により、予め定めた所望の座標上の加工位置に、次々に前記内装部品に複数の貫通孔及び複数の溝を形成してなると共にエンコーダー保管管理制御手段により、前記溝内に糸条体の一部を押し込むように、制御してなるため、貫通孔及び溝の形成される位置が安定的に決まり、所望のステッチ形状が得られる。
【発明を実施するための最良の形態】
【００２３】
意図した高級感あふれる縫製ラインを形成すると共に製造原価の安価な自動車用内装部品と、その製造方法を提供するという目的を、芯材と、該芯材を覆う柔軟性を有するパッドと、該パッドを覆う合成樹脂製の表皮材とにより順次層状に形成してなる内装部品であって、前記表皮材の表面側に配してなる糸条体と、該糸条体の一部を前記表皮材に連続的に形成した複数の貫通孔を介して前記パッドに形成した溝に挿入すると共に前記表皮材の裏面に係合して糸条体の一部が表皮材から抜けるのを防止した抜け止め手段とより構成されてなることで、貫通孔に沿って縫製ラインが形成されてなることで、実現した。以下、本発明の実施形態を図面に基づいて説明する。
【実施例１】
【００２４】
図１〜図５は、本発明の第１実施例を示す図である。車室内の前方側には、車幅方向に沿って「自動車用内装部品」であるインストルメントパネル１が設けられている。インストルメントパネル１は、表面１ａ側と裏面１ｂ側とで庇状に形成されてなり、図示しないメータを保持する部材２が下側に配されている。該部材２には、メータが露出する開口が開設されている。符号３は、該インストルメントパネルパッド１の庇に形成したガイド部で、溝状に形成されている。該ガイド部３の両縁には、糸条体４が恰も針と糸で縫製されたような縫製ライン（ステッチとも言う）が形成されている。
【００２５】
前記インストルメントパネル１は、合成樹脂製の芯材（パネル本体ともいう）７と、該芯材７を覆う柔軟性を有するパッド（インストルメントパネルパッドともいう）６と、該パッド６を覆う合成樹脂製の表皮材５とにより層状に形成してなる。
【００２６】
前記糸条体４には、複数の「抜け止め手段」であるアンカー部材１０を、図５に示すように、干し柿状に吊下げ支持してなる。前記インストルメントパネル１の表皮材５には、孔開け針９により任意に（或いは意図して）適宜の間隔を設けて連続的に複数の貫通孔１４を形成する。該貫通孔１４と同じ位置の前記パッド６には、溝８を形成してなる。この状態で、前記糸条体４を、前記表皮材５の表面５ａ側に配して、アンカー部材１０が吊下げてある糸条体４の一部４ａをアンカー部材１０と共に貫通孔１４に挿入する。パッド６は溝８にて撓み、挿入されたアンカー部材１０が表皮材５の裏面５ｂに係合して抜けるのが防止されることで、貫通孔１４に沿って前記表皮材５の表面５ａ側に配した糸条体４により図２に示すような縫製ラインが形成される。
【００２７】
アンカー部材１０を表皮材５の貫通孔１４に挿入する手段について、次に説明する。
【００２８】
アンカー部材１０は、図４及び図５に示すように、糸条体４の一部４ａに貫通孔１４のピッチに合致させて複数固持されてなると共に貫通孔１４に挿入し易いように突端部１０ａが尖っており、溝８内にあって表皮材５の裏面５ｂに係合し易いように突端部１０ａに対して係合部１０ｂ、１０ｃが断面略鏃状に形成されてなる。突端部１０ａの角度は、３０度以下が望ましいが、表皮材５の材質や硬度によっては、３０度以上でも良い。
【００２９】
アンカー部材１０の係合部１０ｂ、１０ｃ間には、凹部１３が形成され、該凹部１３に密接するように押し部材１１の先端部１１ａを形成してなることで、該押し部材１１に形成された通気孔１２に図示しない吸引装置により押し部材１１にアンカー部材１０の凹部１３を真空吸着により保持する。一体化したアンカー部材１０と押し部材１１とを、表皮材５の貫通孔１４を介して溝８内に挿入し、押し部材１１に加えた真空吸着力を除去するか、或いは空気圧力を加えることで該アンカー部材１０から押し部材１１の先端部１１ａが凹部１３から離脱すると、パッド６の弾力により係合部１０ｂ、１０ｃが表皮材５の裏面５ｂに圧接し、アンカー部材１０のみを溝８内に残存させることで、糸条体４の一部４ａがアンカー部材１０と共に貫通孔１４内に保持されることになる。
【００３０】
この実施例によれば、表皮材５の表面５ａ側の糸条体４をアンカー部材１０を用いて引っ張ることで、糸条体４の一部４ａが通る部分の表皮材５とパッド６とが撓み、恰も職人による縫製であるような高級感あふれる縫製ラインを表皮材５に形成することができる。また、インストルメントパネルパッド１を三次元形状に賦形した後に貫通孔１４、溝８を形成し、かかる糸条体４を加えるので、貫通孔１４からのパッド６の液漏れや皺の発生が生じないことになり、製品の不良率が下がり、生産の効率が高まる。従って、製造原価が安価となる。
【００３１】
また、糸条体４の一部４ａに貫通孔１４のピッチに合致させて複数固持されてなると共に貫通孔１４に挿入し易く且つ溝８内にあって表皮材５の裏面５ｂに係合し易い断面略鏃状に形成されたアンカー部材１０よりなるため、貫通孔１４に合致させてアンカー部材１０を挿入するだけで糸条体４の一部４ａがアンカー部材１０と共に溝８内に入り込み、保持される。該保持状態は、糸条体４が恰も裏糸と表糸とにより縫製されたような高級感を見た人に与えることができる。
【００３２】
アンカー部材１０と押し部材１１との関係は、図４及び図５に示す実施例に限定されるのではなく、図６及び図７に示すアンカー部材２０と押し部材２１との関係のものでも良い。即ち、アンカー部材２０は、図６及び図７に示すように、糸条体４の一部４ａに貫通孔１４のピッチに合致させて複数固持されてなると共に貫通孔１４に挿入し易いように突端部２０ａが尖っており、溝８内にあって表皮材５の裏面５ｂに係合し易いように突端部２０ａに対して係合部２０ｂ、２０ｃが断面略鏃状に形成されてなる。
【００３３】
アンカー部材２０の係合部２０ｂ、２０ｃ間には、凸部２３が形成され、該凸部２３に密接するように押し部材２１の先端部２１ａを形成してなることで、該押し部材２１に形成された通気孔２２に図示しない吸引装置により押し部材２１にアンカー部材２０の凸部２３を真空吸着により保持する。一体化したアンカー部材２０と押し部材２１とを、表皮材５の貫通孔１４を介して溝８内に挿入し、押し部材２１に加えた真空吸着力を除去することで該アンカー部材２０のみを溝８内に残存させることで、糸条体４の一部４ａがアンカー部材２０と共に貫通孔１４内に保持されることになる。
【実施例２】
【００３４】
図８は、本発明の第２実施例を示す図である。前記第１実施例と主に異なる点は、インストルメントパネル１の内部における抜け止め手段の構造である。
【００３５】
前記糸条体４には、複数の「抜け止め手段」である接着剤２５は、貫通孔１４より大きな直径となるように溝８内に充填され、該接着剤２５により糸条体４の一部４ａが固着される。接着剤２５が表皮材５の裏面５ｂに係合して抜けるのが防止されることで、貫通孔１４に沿って前記表皮材５の表面５ａ側に配した糸条体４により縫製ラインが形成される。
【００３６】
この実施例によれば、表皮材５の表面５ａ側の糸条体４の一部４ａを貫通孔１４及び溝８内に挿入して接着剤２５に係止されることで、糸条体４の一部４ａが通る部分の表皮材５とパッド６とが撓み、恰も職人による縫製であるような高級感あふれる縫製ラインを表皮材５に形成することができる。また、インストルメントパネルパッド１を三次元形状に賦形した後に貫通孔１４、溝８を形成し、かかる糸条体４を加えるので、貫通孔１４からのパッド６の液漏れや皺の発生が生じないことになり、製品の不良率が下がり、生産の効率が高まる。従って、製造原価が安価となる。
【００３７】
また、糸条体４の一部４ａに貫通孔１４のピッチに合致させて複数固持されてなると共に貫通孔１４に挿入し易く且つ溝８内にあって表皮材５の裏面５ｂに係合し易い断面略鏃状に形成されたアンカー部材１０よりなるため、貫通孔１４に合致させてアンカー部材１０を挿入するだけで糸条体４の一部４ａがアンカー部材１０と共に溝８内に入り込み、保持される。該保持状態は、糸条体４が恰も裏糸と表糸とにより縫製されたような高級感を見た人に与えることができる。
【実施例３】
【００３８】
図９及び図１０は、本発明の第３実施例を示す図である。前記第１実施例と主に異なる点は、インストルメントパネル１の内部における抜け止め手段の構造である。
【００３９】
前記糸条体４には、複数の「抜け止め手段」であるリング３０を通してある。該リング３０は、糸条体４の通過可能なる内孔３１と、表皮材５の裏面５ｂに係合可能なる外輪３３と、面３２とより形成され、大きさは埋設される位置によりビーズ状から指輪状まで適宜選択し得る。
【００４０】
前記インストルメントパネル１の表皮材５には、第１実施例と同様に孔開け針９（図３参照）により形成した複数の貫通孔１４を形成する。該貫通孔１４と同じ位置の前記パッド６には、溝８を形成してなる。この状態で、前記糸条体４を、前記表皮材５の表面５ａ側に配して、リング３０を貫通孔１４に挿入する。パッド６は溝８にて撓み、挿入されたリング３０がパッド６の弾性により表皮材５の裏面５ｂに係合して抜けるのが防止されることで、リング３０を通した糸条体４が、貫通孔１４に沿って前記表皮材５の表面５ａ側に図２に示すような縫製ラインが形成される。
【００４１】
この実施例によれば、表皮材５の表面５ａ側の糸条体４をリング３０を用いて引っ張ることで、糸条体４の一部４ａが通る部分の表皮材５とパッド６とが撓み、恰も職人による縫製であるような高級感あふれる縫製ラインを表皮材５に形成することができる。また、インストルメントパネルパッド１を三次元形状に賦形した後に貫通孔１４、溝８を形成し、かかる糸条体４を加えるので、貫通孔１４からのパッド６の液漏れや皺の発生が生じないことになり、製品の不良率が下がり、生産の効率が高まる。従って、製造原価が安価となる。
【００４２】
また、糸条体４を通してあるリング３０を挿入するだけで糸条体４がリング３０と共に溝８内に入り込み、保持される。該保持状態は、恰も裏糸と表糸とにより縫製されたような高級感を見た人に与えることができる。
【実施例４】
【００４３】
図１１乃至図１３は、本発明の第４実施例を示す図である。前記第１実施例と主に異なる点は、インストルメントパネル１の内部における抜け止め手段の構造である。
【００４４】
前記糸条体４には、図１２に示す複数の「抜け止め手段」であるタグ４ｃ、４ｃ’が形成されている。この第２次製品の前のタグ４ｃ、４ｃ’の状態は、糸条体４の一部を貫通孔１４のピッチに合致させて折曲げて貫通孔１４の直径より長く表皮材５の裏面５ｂに係合し易い所定の幅を有する折曲げ部４ｂ、４ｂ’（第１次製品）を形成して、そこに熱を加えて、タグ４ｃ、４ｃ’を形成する。該タグ４ｃ、４ｃ’を貫通孔１４に挿入することで一旦折りたたんだタグ４ｃ、４ｃ’がパッド６で再び開き表皮材５の裏面５ｂに係合して抜けるのが防止されることで、貫通孔１４に沿って前記表皮材５の表面５ａ側に配した糸条体４により縫製ラインが形成される。
【００４５】
この実施例によれば、表皮材５の表面５ａ側の糸条体４のタグ４ｃ、４ｃ’を貫通孔１４及び溝８内に挿入係止されることで、糸条体４が引っ張り合い、糸条体４の通る部分の表皮材５とパッド６とが撓み、恰も職人による縫製であるような高級感あふれる縫製ラインを表皮材５に形成することができる。また、インストルメントパネルパッド１を三次元形状に賦形した後に貫通孔１４、溝８を形成し、かかる糸条体４を加えるので、貫通孔１４からのパッド６の液漏れや皺の発生が生じないことになり、製品の不良率が下がり、生産の効率が高まる。従って、製造原価が安価となる。
【００４６】
また、貫通孔１４に合致させて糸条体４のタグ４ｃ、４ｃ’の部分を溝８内に入れると、貫通孔１４で一旦縮んだタグ４ｃ、４ｃ’が溝８内で広がりに貫通孔１４より大きくなることで保持される。該保持状態は、恰も裏糸と表糸とにより縫製されたような高級感を見た人に与えることができる。
【実施例５】
【００４７】
図１４及び図１５は、本発明の第５実施例を示す図である。前記第１実施例と主に異なる点は、インストルメントパネル１の表皮及びパッドの形成されてなる貫通孔及び溝の成形方法である。
【００４８】
前記糸条体４には、複数の「抜け止め手段」であるリング３０を通してある。該リング３０は、糸条体４の通過可能なる内孔３１と、表皮材５の裏面５ｂに係合可能なる外輪３３と、面３２とより形成され、大きさは埋設される位置によりビーズ状から指輪状まで適宜選択し得る。
【００４９】
前記インストルメントパネル１の表皮材５には、前記インストルメントパネル１の成形後に、孔開けレーザ光照射手段４０により複数の貫通孔１４及び複数の溝８を形成し、前記表皮材５の表面５ａ側に糸条体４を配してなると共に該糸条体４の一部４ａのリング３０を押込み手段４１により該溝８内に糸条体４の一部４ａを挿入する。パッド６は溝８にて撓み、挿入されたリング３０がパッド６の弾性により表皮材５の裏面５ｂに係合して抜けるのが防止されることで、リング３０を通した糸条体４が、貫通孔１４に沿って前記表皮材５の表面５ａ側に図２に示すような縫製ラインが形成される。
【００５０】
前記孔開けレーザ光照射手段４０及び前記押込み手段４１は、座標管理制御手段４２により、予め定めた所望の座標上の加工位置に、次々に前記インストルメントパネル１に複数の貫通孔１４及び複数の溝８を形成してなると共にエンコーダー保管管理制御手段４３により、前記溝８内に糸条体４の一部４ａを押し込むように、制御してなる。
【００５１】
この実施例によれば、前記インストルメントパネルパッド１の成形後に、孔開けレーザ光照射手段４０により複数の貫通孔１４及び複数の溝８を形成し、前記表皮材５の表面５ａ側に糸条体４を配してなると共に該糸条体４の一部４ａのリング３０を押込み手段４１により該溝８内に糸条体４の一部４ａを保持することにより、貫通孔１４に沿って縫製ラインを形成してなるため、貫通孔１４の縁がレーザ光による溶断によるため、亀裂の進展が生じにくくなり、亀裂進展による破損が生じにくいことになる。尚、通常の縫製によれば、糸の縒りの影響により、個々の縫製孔から次の縫製孔の間の縫製糸の配列に直線性が確保できず、その対策として縫製針を断面略丸型縫製針からメス針と呼ばれる縫製針を使用する事により、縫製孔間の直線性を確保している事が一般的に知られているが、メス針を使用すると、菱形、みかづき形のノッチ形状の縫製孔となり、亀裂が進展され易いという問題を有しているが、この実施例によれば、貫通孔を菱形、みかづき形にしても貫通孔１４の縁がレーザ光による溶断によるため、亀裂の進展が生じにくくなり、亀裂進展による破損が生じにくいことになる。
【００５２】
また、前記孔開けレーザ光照射手段４０及び前記押込み手段４１は、座標管理制御手段４２により、予め定めた所望の座標上の加工位置に、次々に前記インストルメントパネルパッド１に複数の貫通孔１４及び複数の溝８を形成してなると共にエンコーダー保管管理制御手段４３により、前記溝８内に糸条体４の一部４ａを押し込むように、制御してなるため、貫通孔１４及び溝８の形成される位置が安定的に決まり、所望のステッチ形状が得られる。
【００５３】
このステッチ形状は、表皮材５の表面５ａ側の糸条体４を用いて引っ張ることで、糸条体４の一部４ａが通る部分の表皮材５とパッド６とが撓み、恰も職人による縫製であるような高級感あふれる縫製ラインを表皮材５に形成することができる。また、インストルメントパネルパッド１を三次元形状に賦形した後に貫通孔１４、溝８を形成し、かかる糸条体４を加えるので、貫通孔１４からのパッド６の発泡時の液漏れや皺の発生が生じないことになり、製品の不良率が下がり、生産の効率が高まる。従って、製造原価が安価となる。
【００５４】
また、糸条体４を通してあるリング３０を挿入するだけで糸条体４がリング３０と共に溝８内に入り込み、保持される。該保持状態は、恰も裏糸と表糸とにより縫製されたような高級感を見た人に与えることができる。
【産業上の利用可能性】
【００５５】
前記「自動車用内装部品」としては、インストルメントパネル１を例にして説明したが、これに限定されるわけではなく、ドアトリムやサイドトリムであっても良い。表皮材５は、合成樹脂材として説明したが、これに限定されるわけではなく、合成皮革或いは天然皮革などでも良い。
【００５６】
前記表皮材５に形成した貫通孔１４は、孔開け針９を用いなくても、次の条件であれば貫通できる。（１）前記表皮材５が、塗装タイプで成形されるスプレースキンの表層肉厚２００ミクロン以下、０．５ミリメートル以下の肉厚のオレフィン系、ウレタン系、塩化ビニル系、アクリルニトリル・スチレン・アクリレート（ＡＳＡ）系、ポリエステル系などから構成されるショアＡ硬度８０以下であれば、アンカー部材１０の突端部１０ａが鋭角な為、表皮材５を貫通できる。（２）前記表皮材５が、ＲＩＭ成形の場合、ショアＡ硬度が６５以下にできるため、表皮材５の肉厚が、０．５から１．５ミリメートルでも表皮材５をアンカー部材１０により貫通できる。
【００５７】
前記孔開けレーザ光照射手段４０及び前記押込み手段４１により形成される貫通孔１４及び溝８内に押し込まれる「抜け止め手段」は、リング３０を例に説明したが、アンカー部材１０、２０でも、接着剤２５でも良い。
【図面の簡単な説明】
【００５８】
【図１】本発明の第１実施例に係るインストルメントパネルの一部を示す斜視図。
【図２】図１のＡ部における拡大図。
【図３】図２のＳＢ−ＳＢ線に沿った拡大断面図。
【図４】図３の「抜け止め手段」であるアンカー部材に押し部材をセットした状態を示す断面図。
【図５】図４のアンカー部材から押し部材を外した状態を示す断面図。
【図６】本発明の第１実施例に係るアンカー部材に押し部材をセットした状態を示す変形例の断面図。
【図７】図６のアンカー部材から押し部材を外した状態を示す断面図。
【図８】本発明の第２実施例に係るインストルメントパネルの図３相当断面図。
【図９】本発明の第３実施例に係るインストルメントパネルの図３相当断面図。
【図１０】図９に用いられているリングの斜視図。
【図１１】本発明の第４実施例に係る糸条体の第１次製品の状態における上面図。
【図１２】図１１に用いられている糸条体の折曲げ部をタグにしたことを示す上面図。
【図１３】図１２に示すタグにより糸条体をインストルメントパネルの表皮材の裏面に係止した条体を示す図９と交叉した方向の断面図。
【図１４】本発明の第５実施例に係るインストルメントパネルの一部に貫通孔を加工する状態を示す斜視図。
【図１５】図１４のＳＣ−ＳＣ線に沿った断面図。
【符号の説明】
【００５９】
１  「自動車用内装部品」であるインストルメントパネル
４  糸条体
４ａ  糸条体の一部
４ｃ  「抜け止め手段」であるタグ
５  表皮材
５ａ  表皮材の表面
５ｂ  表皮材の裏面
６  パッド
７  芯材
８  溝
１０、２０  「抜け止め手段」であるアンカー部材
１１、２１  押し部材
１４  貫通孔
２５  「抜け止め手段」である接着剤
３０  「抜け止め手段」であるリング
４０  孔開けレーザ光照射手段
４１  押込み手段
４２  座標管理制御手段
４３  エンコーダー保管管理制御手段
【図１】
2006273312.tif 000003
【図２】
2006273312.tif 000004
【図３】
2006273312.tif 000005
【図４】
2006273312.tif 000006
【図５】
2006273312.tif 000007
【図６】
2006273312.tif 000008
【図７】
2006273312.tif 000009
【図８】
2006273312.tif 000010
【図９】
2006273312.tif 000011
【図１０】
2006273312.tif 000012
【図１１】
2006273312.tif 000013
【図１２】
2006273312.tif 000014
【図１３】
2006273312.tif 000015
【図１４】
2006273312.tif 000016
【図１５】
2006273312.tif 000017